(57)【要約】 【課題】  比較的大きい軸線方向公差および半径方向公差において且つ比較的僅かな差込力において、極めて良好な密封作用を達成する。【解決手段】    流体伝送装置用継手において、密封ユニットの本質的にＤ字形に構成された少なくとも１つの密封リング（７）の平坦な外面（８）が、継手部材（１）の受容部分（３）の平坦な当接面（１０）に当接する。かくして、当該の密封リング（７）の大きいねじれ剛性にもとづき、半径方向へ作用する押圧力が比較的小さい状態において既に、極めて大きい密封作用が得られる。【選択図】  図２
2009505000.tif 000002
【特許請求の範囲】
【請求項１】
少なくとも１つの密封リング（７）を含み継手部材（１）および継手部材（１）に差込可能な差込部材（１９）を相互に密封する密封ユニットを備えた継手部材（３）を有する流体配管装置用継手において、
密封リング（７）または少なくとも１つの密封リング（７）が、半径方向外側にあり継手部材（１）の平坦な当接面（１０）に当接する平坦な外面（８）を有し、
密封リング（７）または各密封リングの平坦な外面（８）の両縁側の間には、半径方向内方へ向き湾曲した内面（９）が延在すること
を特徴とする継手。
【請求項２】
差込部材（１９）の導入方向で見て平坦な当接面（１０）の前部範囲には、該平坦な当接面（１０）から突出する確保凸部（１６）が構成されていることを特徴とする請求項１の継手。
【請求項３】
前記確保凸部（１６）が、導入方向で見て前部に、導入方向で見て後部にある後壁（１８）よりも急な勾配を有する前壁（１７）を有することを特徴とする請求項２の継手。
【請求項４】
平坦な外面（８）を有する密封リング（７）または各密封リングが、幾何学的基本形状に対応して全円に亘り円周方向に延びる湾曲内面（９）に対応する平坦な外面（８）を有することを特徴とする請求項１−３の１つに記載の継手。
【請求項５】
前記湾曲内面（９）が、半円筒状体の外面であり、平坦な外面（８）が、半円筒状体の平坦面であることを特徴とする請求項４の継手。
【発明の詳細な説明】
【技術分野】
【０００１】
本発明は、特許請求項１の上位概念部（前置部）に記載の、流体配管（ないし送給）装置の継手（カップリング）に関する。
【背景技術】
【０００２】
この種の継手は、例えば、ＤＥ１０１１５３９９Ｃ１から公知である。流体配管装置に組込まれる周知の継手は、少なくとも１つの密封リングを含む密封ユニットを備えた継手部材を有する。周知の継手の密封ユニットは、それぞれ円形横断面を有する２つの密封リングと、密封リングの間に設けた中間リングとを有し、継手部材および継手部材に差込まれる差込部材を相互に密封するよう構成されている。
【特許文献１】ＤＥ１０１１５３９９Ｃ１
【発明の開示】
【発明が解決しようとする課題】
【０００３】
本発明の課題は、比較的大きい軸線方向公差および半径方向公差において且つ比較的僅かな差込力において、極めて良好な密封作用を特徴とする冒頭に述べた種類の流体配管装置用継手を提供することにある。
【課題を解決するための手段】
【０００４】
この課題は、冒頭に述べた種類の流体配管装置用継手において、本発明にもとづき、請求項１の特徴記載部分に開示の特徴によって解決される。
【０００５】
密封ユニットが、具体的に云ってＤ字形構造を有し、その平坦面で継手部材の同じく平坦な当接面に当接する密封リングを装備することによって、一方では、円形横断面に対する当該の密封リングの結合剛性が増大さ、かくして、部分的ねじれの危険性自体が、減少される。更に、半径方向外面（外周面）には、密封リングの外面と継手部材の外面（外周面）との間の比較的大面積の接触によって、極めて僅かな半径方向力において既に、極めて大きい密封作用が得られ、この場合、密封リングが本質的に変形されることはない。
【０００６】
本発明の他の目的に適った構成は、従属請求項の対象である。
【発明を実施するための最良の形態】
【０００７】
添付の図面を参照した本発明の好ましい実施例の以下の説明から、他の目的に適った構成および利点が知られよう。
【０００８】
図１に、本発明に係る継手の実施例の部分切欠側面図を示した。図示の本発明に係る継手は、流体配管装置（図１には示してない）の、例えば、ホースと接続するための接続スタッド２を備えた継手部材１を有する。更に、継手部材１は、接続スタッド２に比して拡大された周面を有する受容部分３を備えており、図示の実施例の場合、この受容部分は、確保クリップ（ないしスリーブ）４の受けを有し、この確保クリップによって、差込部材（図１には示してない）は、導入側５から接続スタッド２の方向へ向く導入方向に受容部分３に差込んだ後、接続スタッド２とは反対側の継手部材１の導入側５から、受容部分３から不測に滑落しないよう、ロックできる。かくして、差込部材は、受容部分３によって囲まれた本質的に円筒形の受容スペース６に、運転上確実に設置される。
【０００９】
更に、本発明に係る継手は、密封ユニットを備えている。図示の実施例の場合、この密封ユニットは、環状に閉じた密封リング（シールリング）７から形成されている。図示の実施例の場合、密封リング７は、所定の配置状態において半径方向外方へ向く平坦な外（周）面８を有するよう構成され、平坦（外周）面８の両縁側の間（両側端の間）に延び且つ半径方向内方へ指向する（断面で見て）湾曲内面９を有する。図示の実施例の場合、密封リング７は、本質的に半円形の横断面を有し、伸張状態（伸びた状態即ち圧縮状態）において、半円筒体形状を有し、この場合、平坦な外（周）面８は、横断面を（仮想的に）完全な円ないし完全な円筒体になるよう補って見ると対称平面内にある。
【００１０】
他の目的に適った実施例（この場合、図示してない）の場合、密封リング７の湾曲した内面９は、１８０度よりも小さいまたは大きい角度範囲にわたり延びる部分円周を形成し、従って、平坦な外面８は、対応する完全な円の中心の外側にあるよう構成される。
【００１１】
他の目的に適った実施例の場合、湾曲内面９は、楕円形状外面を有し、平坦な外面８は、密封リング７の対称構成のため、楕円の二つの対称平面の１つにあるか、非対称構成が目的である場合には、上記対称平面の１つから平行にシフトしている。
【００１２】
図２に、図１の実施例の密封リング７の範囲の断面図を示した。図２から明らかに知られる如く、密封リング７の半径方向外方にある平坦な外面８は、継手部材１の同じく平坦に構成された当接面１０（ないし受け面）に当接し、かくして、半径方向外方へ作用する極めて僅かな力において既に、外面８と当接面１０との間の大きい接触面にもとづき、極めて良好に密封作用が達成される。当接面１０に隣接して、導入方向とは逆の軸線方向へ突出する段部１２の後ろ側当接面１１が構成されており、他方、半径方向内方へ向く閉鎖壁１３と継手部材１の本質的に半径方向へ延びる当接壁（当り壁）１４との間には、遊び補償スペース１５が存在する。
【００１３】
更に、図２の構成から明らかに知られる如く、平坦な当接面１１の、導入方向で見て前部にある縁範囲には、導入方向で見て前部（手前）にある前壁１７および導入方向で見て後部に位置する後壁１８を有し半径方向内方へ突出する確保（抜け止め）凸部（フランジ状凸部）１６が構成されている。確保凸部１６は、継手部材１から不測に滑落しないよう密封リング７を確保する。この場合、損傷のない分離のため、後壁１８が前壁１７よりも小さい傾斜を有していれば目的に適う。
【００１４】
更に、図２に、継手部材１に対応して、継手部材１に接続されたホースに対して流体接続を創成するため、例えば、流体配管装置（図２には示してない）のホースと接続できる
差込部材１９を示した。差込部材１９は、図２において、流体接続の創成のための所定の配置状態に示してある。この配置において、導入方向へ見て前方（手前）にある差込部材１９の端部２０は、その半径方向外面で、（密封リングの）湾曲内面９の本質的に半径方向内方へ向く部分と接触し、密封リング７を僅かに変形する。この場合、湾曲内面９の導入方向へ見て後方に位置する壁範囲は、端部２０の範囲に密封作用を達成するため、（断部１２の後ろ側）当接面１１に当接する。かくして、総括して、半径方向の製造公差に対して本発明に係る継手の大きい適合性が得られる。
【００１５】
更に、図２から知られる如く、差込部材１９の所定の配置において、差込部材１９の端部１２の導入方向へ見て前部にある端面と継手部材１の当接壁１４との間の遊び補償スペース１５によって、軸線方向の同じく大きい公差範囲が提供される。
【図面の簡単な説明】
【００１６】
【図１】唯一つのＤ字形密封リングを有する密封ユニットを備えた本発明の一実施例に係る継手の部分切欠側面図である。
【図２】継手部材に差込んだ差込部材を含む密封リングの範囲の図１の実施例の断面図である。
【符号の説明】
【００１７】
１      継手部材      
２      接続スタッド
３      受容部分
４      確保クリップ（ないしスリーブ）
５      導入側
６      受容スペース
７      密封リング
８      ７の外面
９      ７の内面
１０      当接面      
１２      段部
１６      確保（抜け止め）凸部（フランジ状凸部）
１７      前壁
１８      後壁  
１９      差込部材    
【図１】
2009505000.tif 000003
【図２】
2009505000.tif 000004
【手続補正書】
【提出日】平成19年11月16日(2007.11.16)
【手続補正１】
【補正対象書類名】特許請求の範囲
【補正対象項目名】全文
【補正方法】変更
【補正の内容】
【特許請求の範囲】
【請求項１】
少なくとも１つの密封リング（７）を含み、継手部材（１）および継手部材（１）に差込可能な差込部材（１９）を相互に密封する密封ユニットを備えた継手部材（３）を有する流体配管装置用継手であって、
密封リング（７）が、半径方向外側にあり継手部材（１）の平坦な当接面（１０）に当接する平坦な外面（８）を有し、
半径方向内方へ向き湾曲した内面（９）を有するよう構成されている形式のものにおいて、
該内面（９）が、密封リング（７）の平坦な外面（８）の両縁側の間に延在し、
差込部材（１９）の導入方向で見て平坦な当接面（１０）の前部範囲には、導入方向で見て前部にあり斜めに上昇する傾斜した前壁（１７）および導入方向で見て後部に位置し斜めに下降する傾斜した後壁（１８）を有し平坦な当接面（１０）から半径方向内方へ突出する確保凸部（１６）が構成されており、
密封リング（７）が、確保凸部（１６）と導入方向とは逆の軸線方向へ突出する段部（１２）の後部当接面（１１）との間に配設されていること
を特徴とする継手。
【請求項２】
前記確保凸部（１６）が、導入方向で見て前部に、導入方向で見て後部にある後壁（１８）よりも急な勾配を有する前壁（１７）を有することを特徴とする請求項１の継手。
【請求項３】
平坦な外面（８）を有する密封リング（７）または各密封リングが、幾何学的基本形状に対応して全円に亘り円周方向に延びる湾曲内面（９）に対応する平坦な外面（８）を有することを特徴とする請求項１−２の１つに記載の継手。
【請求項４】
密封リング（７）が、半円形横断面を有することを特徴とする請求項３の継手。
【手続補正２】
【補正対象書類名】明細書
【補正対象項目名】０００２
【補正方法】変更
【補正の内容】
【０００２】                                                    
この種の継手は、例えば、ＤＥ１０１１５３９９Ｃ１から公知である。流体配管装置に組込まれる周知の継手は、少なくとも１つの密封リングを含む密封ユニットを備えた継手部材を有する。周知の継手の密封ユニットは、それぞれ円形横断面を有する２つの密封リングと、密封リングの間に設けた中間リングとを有し、継手部材および継手部材に差込まれる差込部材を相互に密封するよう構成されている。その他下記の特許文献２〜８が知られている。
【特許文献１】  ＤＥ１０１１５３９９Ｃ１
【特許文献２】  ＵＳ−Ａ−４１４７３６８
【特許文献３】  ＵＳ−Ａ−３５８４８８９
【特許文献４】  ＵＳ−Ａ−３３６８８３０
【特許文献５】  ＤＥ２００１６１１８Ｕ１
【特許文献６】  ＤＥ２９９０３４６９Ｕ１
【特許文献７】  ＵＳ−Ａ−３８９１２２４
【特許文献８】  ＵＳ−Ａ−３０８１１０２
【発明の開示】
【発明が解決しようとする課題】
【手続補正書】
【提出日】平成20年5月12日(2008.5.12)
【手続補正１】
【補正対象書類名】明細書
【補正対象項目名】全文
【補正方法】変更
【補正の内容】
【発明の詳細な説明】
【技術分野】
【０００１】
本発明は、流体配管装置の継手、特に特許請求項１の上位概念部（前置部）に記載の、流体配管（ないし送給）装置の継手（カップリング）に関する。
【背景技術】
【０００２】
この種の継手は、例えば、ＤＥ１０１１５３９９Ｃ１から公知である。流体配管装置に組込まれる周知の継手は、少なくとも１つの密封リングを含む密封ユニットを備えた継手部材を有する。周知の継手の密封ユニットは、それぞれ円形横断面を有する２つの密封リングと、密封リングの間に設けた中間リングとを有し、継手部材および継手部材に差込まれる差込部材を相互に密封するよう構成されている。その他下記の特許文献２〜８が知られている。
【特許文献１】ＤＥ１０１１５３９９Ｃ１
【特許文献２】ＵＳ−Ａ−４１４７３６８
【特許文献３】ＵＳ−Ａ−３５８４８８９
【特許文献４】ＵＳ−Ａ−３３６８８３０
【特許文献５】ＤＥ２００１６１１８Ｕ１
【特許文献６】ＤＥ２９９０３４６９Ｕ１
【特許文献７】ＵＳ−Ａ−３８９１２２４
【特許文献８】ＵＳ−Ａ−３０８１１０２
【発明の開示】
【発明が解決しようとする課題】
【０００３】
本発明の課題は、比較的大きい軸線方向公差および半径方向公差において且つ比較的僅かな差込力において、極めて良好な密封作用を特徴とする冒頭に述べた種類の流体配管装置用継手を提供することにある。
【課題を解決するための手段】
【０００４】
この課題は、冒頭に述べた種類の流体配管装置用継手において、本発明にもとづき、請求項１の特徴記載部分に開示の特徴によって解決される。即ち、本発明によれば、少なくとも１つの密封リングを含み、継手部材および継手部材に差込可能な差込部材を相互に密封する密封ユニットを備えた継手部材を有する流体配管装置用継手が提供される。この継手は、密封リングが、半径方向外側にあり継手部材の平坦な当接面に当接する平坦な外面を有し、半径方向内方へ向き湾曲した内面を有するよう構成されている形式のものであって、該内面が、密封リングの平坦な外面の両縁側の間に延在し、差込部材の導入方向で見て平坦な当接面の前部範囲には、導入方向で見て前部にあり斜めに上昇する傾斜した前壁および導入方向で見て後部に位置し斜めに下降する傾斜した後壁を有し平坦な当接面から半径方向内方へ突出する確保凸部が構成されており、密封リングが、確保凸部と導入方向とは逆の軸線方向へ突出する段部の後部当接面との間に配設されていることを特徴とする。
【０００５】
密封ユニットが、具体的に云ってＤ字形構造を有し、その平坦面で継手部材の同じく平坦な当接面に当接する密封リングを装備することによって、一方では、円形横断面に対する当該の密封リングの結合剛性が増大さ、かくして、部分的ねじれの危険性自体が、減少される。更に、半径方向外面（外周面）には、密封リングの外面と継手部材の外面（外周面）との間の比較的大面積の接触によって、極めて僅かな半径方向力において既に、極めて大きい密封作用が得られ、この場合、密封リングが本質的に変形されることはない。
【０００６】
本発明の他の目的に適った構成は、従属請求項の対象である。
即ち、下記の形態がある。
前記確保凸部が、導入方向で見て前部に、導入方向で見て後部にある後壁よりも急な勾配を有する前壁を有することが好ましい。（形態１）
平坦な外面を有する密封リングまたは各密封リングが、幾何学的基本形状に対応して全円に亘り円周方向に延びる湾曲内面に対応する平坦な外面を有することが好ましい。（形態２）
密封リングが、半円形横断面を有することが好ましい。（形態３）
なお、特許請求の範囲の各請求項に付記した図面参照符号は、専ら理解を助けるためであり、図示の態様に限定することを意図するものではない。
【発明を実施するための最良の形態】
【０００７】
添付の図面を参照した本発明の好ましい実施例の以下の説明から、他の目的に適った構成および利点が知られよう。
【０００８】
図１に、本発明に係る継手の実施例の部分切欠側面図を示した。図示の本発明に係る継手は、流体配管装置（図１には示してない）の、例えば、ホースと接続するための接続スタッド２を備えた継手部材１を有する。更に、継手部材１は、接続スタッド２に比して拡大された周面を有する受容部分３を備えており、図示の実施例の場合、この受容部分は、確保クリップ（ないしスリーブ）４の受けを有し、この確保クリップによって、差込部材（図１には示してない）は、導入側５から接続スタッド２の方向へ向く導入方向に受容部分３に差込んだ後、接続スタッド２とは反対側の継手部材１の導入側５から、受容部分３から不測に滑落しないよう、ロックできる。かくして、差込部材は、受容部分３によって囲まれた本質的に円筒形の受容スペース６に、運転上確実に設置される。
【０００９】
更に、本発明に係る継手は、密封ユニットを備えている。図示の実施例の場合、この密封ユニットは、環状に閉じた密封リング（シールリング）７から形成されている。図示の実施例の場合、密封リング７は、所定の配置状態において半径方向外方へ向く平坦な外（周）面８を有するよう構成され、平坦（外周）面８の両縁側の間（両側端の間）に延び且つ半径方向内方へ指向する（断面で見て）湾曲内面９を有する。図示の実施例の場合、密封リング７は、本質的に半円形の横断面を有し、伸張状態（伸びた状態即ち圧縮状態）において、半円筒体形状を有し、この場合、平坦な外（周）面８は、横断面を（仮想的に）完全な円ないし完全な円筒体になるよう補って見ると対称平面内にある。
【００１０】
他の目的に適った実施例（この場合、図示してない）の場合、密封リング７の湾曲した内面９は、１８０度よりも小さいまたは大きい角度範囲にわたり延びる部分円周を形成し、従って、平坦な外面８は、対応する完全な円の中心の外側にあるよう構成される。
【００１１】
他の目的に適った実施例の場合、湾曲内面９は、楕円形状外面を有し、平坦な外面８は、密封リング７の対称構成のため、楕円の二つの対称平面の１つにあるか、非対称構成が目的である場合には、上記対称平面の１つから平行にシフトしている。
【００１２】
図２に、図１の実施例の密封リング７の範囲の断面図を示した。図２から明らかに知られる如く、密封リング７の半径方向外方にある平坦な外面８は、継手部材１の同じく平坦に構成された当接面１０（ないし受け面）に当接し、かくして、半径方向外方へ作用する極めて僅かな力において既に、外面８と当接面１０との間の大きい接触面にもとづき、極めて良好に密封作用が達成される。当接面１０に隣接して、導入方向とは逆の軸線方向へ突出する段部１２の後ろ側当接面１１が構成されており、他方、半径方向内方へ向く閉鎖壁１３と継手部材１の本質的に半径方向へ延びる当接壁（当り壁）１４との間には、遊び補償スペース１５が存在する。
【００１３】
更に、図２の構成から明らかに知られる如く、平坦な当接面１１の、導入方向で見て前部にある縁範囲には、導入方向で見て前部（手前）にある前壁１７および導入方向で見て後部に位置する後壁１８を有し半径方向内方へ突出する確保（抜け止め）凸部（フランジ状凸部）１６が構成されている。確保凸部１６は、継手部材１から不測に滑落しないよう密封リング７を確保する。この場合、損傷のない分離のため、後壁１８が前壁１７よりも小さい傾斜を有していれば目的に適う。
【００１４】
更に、図２に、継手部材１に対応して、継手部材１に接続されたホースに対して流体接続を創成するため、例えば、流体配管装置（図２には示してない）のホースと接続できる
差込部材１９を示した。差込部材１９は、図２において、流体接続の創成のための所定の配置状態に示してある。この配置において、導入方向へ見て前方（手前）にある差込部材１９の端部２０は、その半径方向外面で、（密封リングの）湾曲内面９の本質的に半径方向内方へ向く部分と接触し、密封リング７を僅かに変形する。この場合、湾曲内面９の導入方向へ見て後方に位置する壁範囲は、端部２０の範囲に密封作用を達成するため、（断部１２の後ろ側）当接面１１に当接する。かくして、総括して、半径方向の製造公差に対して本発明に係る継手の大きい適合性が得られる。
【００１５】
更に、図２から知られる如く、差込部材１９の所定の配置において、差込部材１９の端部１２の導入方向へ見て前部にある端面と継手部材１の当接壁１４との間の遊び補償スペース１５によって、軸線方向の同じく大きい公差範囲が提供される。
【図面の簡単な説明】
【００１６】
【図１】唯一つのＤ字形密封リングを有する密封ユニットを備えた本発明の一実施例に係る継手の部分切欠側面図である。
【図２】継手部材に差込んだ差込部材を含む密封リングの範囲の図１の実施例の断面図である。
【符号の説明】
【００１７】
１      継手部材
２      接続スタッド
３      受容部分
４      確保クリップ（ないしスリーブ）
５      導入側
６      受容スペース
７      密封リング
８      ７の外面
９      ７の内面
１０      当接面      
１２      段部
１６      確保（抜け止め）凸部（フランジ状凸部）
１７      前壁
１８      後壁
１９      差込部材
【国際調査報告】
2009505000.tif 000005
2009505000.tif 000006
2009505000.tif 000007
2009505000.tif 000008
2009505000.tif 000009
2009505000.tif 000010